(57)【要約】【課題】ワイヤーハーネスに対する止水部材の取付姿勢の制約をなるべく少なくすることを目的とする。【解決手段】止水部材２０は、ワイヤーハーネス１２に取付けられる。止水部材２０は、ワイヤーハーネス１２の外周囲の一部に取付可能な長尺状のベース部材３０と、ベース部材３０に突設され、ベース部材３０がワイヤーハーネス１２の外周囲の一部に取付けられた状態で、ワイヤーハーネス１２を構成する複数の電線１４間を通ってワイヤーハーネス１２を貫通可能な長さ寸法に設定された水伝達部材４０を備える。【選択図】図１
2017216849.tif 000002
【特許請求の範囲】
【請求項１】
ワイヤーハーネスに取付けられる止水部材であって、
ワイヤーハーネスの外周囲の一部に取付可能な長尺状のベース部材と、
前記ベース部材に突設され、前記ベース部材がワイヤーハーネスの外周囲の一部に取付けられた状態で、ワイヤーハーネスを構成する複数の電線間を通ってワイヤーハーネスを貫通可能な長さ寸法に設定された水伝達部材と、
を備える止水部材。
【請求項２】
請求項１に記載の止水部材であって、
前記水伝達部材は、前記ベース部材の延在方向に対して斜め姿勢で突出している、止水部材。
【請求項３】
請求項１又は請求項２に記載の止水部材であって、
前記水伝達部材は、前記ベース部材に複数設けられている、止水部材。
【請求項４】
請求項１から請求項３のいずれか１項に記載の止水部材であって、
前記水伝達部材は、ワイヤーハーネスを構成する電線外形に沿って変形可能な程度の柔軟性を有する、止水部材。
【請求項５】
請求項１から請求項４のいずれか１項に記載の止水部材であって、
前記水伝達部材は、両側に凹形状が形成された長尺シート状に形成されている、止水部材。
【請求項６】
請求項１から請求項５のいずれか１項に記載の止水部材であって、
前記水伝達部材に、その延在方向に沿った凹溝が形成されている、止水部材。
【請求項７】
請求項１から請求項６のいずれか１項に記載の止水部材であって、
前記水伝達部材に、その延在方向に沿った突条部が形成されている、止水部材。
【請求項８】
請求項１から請求項７のいずれか１項に記載の止水部材であって、
前記ベース部材に、前記水伝達部材が突設された側からその反対側に至る貫通孔が形成されている、止水部材。
【請求項９】
請求項１から請求項８のいずれか１項に記載の止水部材であって、
前記ベース部材に、その延在方向一方側に向けて水をガイドする水ガイド部が形成されている、止水部材。
【請求項１０】
複数の電線が束ねられた束部分を有するワイヤーハーネスと、
請求項１から請求項９のいずれか１項に記載の止水部材であって、前記ベース部材が前記束部分の外周の一部に取付けられると共に、前記水伝達部材が前記複数の電線の間を通って貫通している、止水部材と、
を備える止水部材付ワイヤーハーネス。
【発明の詳細な説明】
【技術分野】
【０００１】
この発明は、ワイヤーハーネスを伝った水の伝わりを防止する技術に関する。
【背景技術】
【０００２】
特許文献１は、ワイヤーハーネス端末のコネクタ接続位置の手前で電線群に取付けられる止水具を開示している。この止水具は、上端連結部の左右両端から上下縦方向に延在する両側枠部を備えたフレームと、該フレームの両側枠部の内面に対向して突設する繊維毛状のブラシを備え、前記フレームの上端連結部を前記電線群に取り付けて、両側の前記ブラシの間に前記電線群を挿通させ、該電線群の外面に付着してコネクタへと伝わる水滴を前記フレームおよび前記ブラシとの接触で塞き止めて自重落下させる構成とされている。
【先行技術文献】
【特許文献】
【０００３】
【特許文献１】特開２０１６−６７１１６号公報
【発明の概要】
【発明が解決しようとする課題】
【０００４】
しかしながら、特許文献１に開示の技術によると、両側枠部の間に電線群を挿通させる必要がある。このため、電線群に対する止水具の取付姿勢に制約が大きいという問題がある。
【０００５】
そこで、本発明は、ワイヤーハーネスに対する止水部材の取付姿勢の制約をなるべく少なくすることを目的とする。
【課題を解決するための手段】
【０００６】
上記課題を解決するため、第１の態様は、ワイヤーハーネスに取付けられる止水部材であって、ワイヤーハーネスの外周囲の一部に取付可能な長尺状のベース部材と、前記ベース部材に突設され、前記ベース部材がワイヤーハーネスの外周囲の一部に取付けられた状態で、ワイヤーハーネスを構成する複数の電線間を通ってワイヤーハーネスを貫通可能な長さ寸法に設定された水伝達部材とを備える。
【０００７】
第２の態様は、第１の態様に係る止水部材であって、前記水伝達部材は、前記ベース部材の延在方向に対して斜め姿勢で突出しているものである。
【０００８】
第３の態様は、第１又は第２の態様に係る止水部材であって、前記水伝達部材は、前記ベース部材に複数設けられているものである。
【０００９】
第４の態様は、第１から第３のいずれか１つの態様に係る止水部材であって、前記水伝達部材は、ワイヤーハーネスを構成する電線外形に沿って変形可能な程度の柔軟性を有するものである。
【００１０】
第５の態様は、第１から第４のいずれか１つの態様に係る止水部材であって、前記水伝達部材は、両側に凹形状が形成された長尺シート状に形成されているものである。
【００１１】
第６の態様は、第１から第５のいずれか１つの態様に係る止水部材であって、前記水伝達部材に、その延在方向に沿った凹溝が形成されているものである。
【００１２】
第７の態様は、第１から第６のいずれか１つの態様に係る止水部材であって、前記水伝達部材に、その延在方向に沿った突条部が形成されているものである。
【００１３】
第８の態様は、第１から第７のいずれか１つの態様に係る止水部材であって、前記ベース部材に、前記水伝達部材が突設された側からその反対側に至る貫通孔が形成されているものである。
【００１４】
第９の態様は、第１から第８のいずれか１つの態様に係る止水部材であって、前記ベース部材に、その延在方向一方側に向けて水をガイドする水ガイド部が形成されているものである。
【００１５】
第１０の態様は、複数の電線が束ねられた束部分を有するワイヤーハーネスと、第１から第９のいずれか１つの態様に係る止水部材であって、前記ベース部材が前記束部分の外周の一部に取付けられると共に、前記水伝達部材が前記複数の電線の間を通って貫通している、止水部材とを備える。
【発明の効果】
【００１６】
第１から第１０の態様によると、水伝達部材がワイヤーハーネスを構成する複数の電線間を通ってワイヤーハーネスを貫通する状態で、ベース部材をワイヤーハーネスの外周囲の一部に取付ければ、ワイヤーハーネス内で電線を通って伝わる水は、水伝達部材からベース部材を通って外部に流れ出る。この際、水伝達部材がワイヤーハーネスを構成する複数の電線間を通ってワイヤーハーネスを貫通するようにすればよいため、２つのベース部材によってワイヤーハーネスを挟んだりする必要が無い。このため、ワイヤーハーネスに対する止水部材の取付姿勢の制約をなるべく少なくすることができる。
【００１７】
第２の態様によると、ベース部材をなるべく鉛直姿勢にしつつ、水伝達部材の基端部を下向けにするように当該水伝達部材を配設し易い。これにより、ワイヤーハーネス内で電線を伝わる水を、水伝達部材からベース部材を通って外部に流れ出やすくすることができる。
【００１８】
第３の態様によると、複数の水伝達部材によって、より確実に止水することができる。
【００１９】
第４の態様によると、水伝達部材を、電線外形に沿って変形させることで、電線を伝った水をより確実に止水できる。
【００２０】
第５の態様によると、水伝達部材の凹形状部分に電線を配設しつつ、当該電線の外形に応じた形状に変形させることができる。これにより、水伝達部材を、電線外形により密着させることができ、電線を伝った水をより確実に止水できる。
【００２１】
第６の態様によると、水は、伝達部材に形成された凹溝を通ってベース部材に伝わり易い。これにより、水をより確実にベース部材に伝わらせて、外部に流れさせることができる。また、凹溝が形成されているため、水伝達部材が電線の外周に沿うように変形し易くなり、電線を伝う水をより確実に水伝達部材によって遮って水伝達部材側に流れ出させることができる。
【００２２】
第７の態様によると、水は、伝達部材に形成された突条部を伝ってベース部材に伝わり易い。これにより、水をより確実にベース部材に伝わらせて、外部に流れさせることができる。また、突条部によって水伝達部材を補強することができる。
【００２３】
第８の態様によると、ベース部材に伝わった水が、ベース部材のうち水伝達部材が突設された側の反対側に流れ出るため、ワイヤーハーネスから遠い側で水を排出することができる。
【００２４】
第９の態様によると、ベース部材を伝わる水の流れを水ガイド部によってコントロールして、ベース部材の一方側にガイドすることができる。
【図面の簡単な説明】
【００２５】
【図１】実施形態に係る止水部材付ワイヤーハーネスを示す概略側面図である。
【図２】止水部材付ワイヤーハーネスの部分概略正面図である。
【図３】止水部材を示す概略斜視図である。
【図４】止水部材を束部分に取付けた状態を示す概略断面図である。
【図５】止水部材を束部分に取付けた状態を示す概略断面図である。
【図６】第１変形例に係る水伝達部材を示す概略平面図である。
【図７】第２変形例に係る水伝達部材を示す概略平面図である。
【図８】第３変形例に係る水伝達部材を示す概略平面図である。
【図９】第４変形例に係る水伝達部材を示す概略平面図である。
【図１０】図９のＸ−Ｘ線概略断面図である。
【図１１】第５変形例に係る水伝達部材を示す概略断面図である。
【図１２】第５変形例に係る水伝達部材を示す概略断面図である。
【図１３】第７変形例に係るベース部材を示す部分概略斜視図である。
【図１４】同上のベース部材を示す部分概略背面図である。
【図１５】図１４のＸＶ−ＸＶ線概略断面図である。
【図１６】図１４のＸＶＩ−ＸＶＩ線部分概略断面図である。
【発明を実施するための形態】
【００２６】
以下、実施形態に係る止水部材及び止水部材付ワイヤーハーネスについて説明する。図１は止水部材付ワイヤーハーネス１０を示す概略側面図であり、図２は止水部材付ワイヤーハーネス１０の部分概略正面図である。
【００２７】
この止水部材付ワイヤーハーネス１０は、ワイヤーハーネス１２と、止水部材２０とを備える。
【００２８】
ワイヤーハーネス１２は、複数の電線１４を備えており、当該複数の電線１４が束ねられた束部分１３を有している。束部分１３の端部には、コネクタ１６が設けられている。束部分１３の端部で、電線１４の端部の端子がコネクタ１６に挿入接続されている。本止水部材付ワイヤーハーネス１０が車両に搭載された状態で、コネクタ１６が、車両に搭載された電気部品１８のコネクタ１９に接続される。これにより、本ワイヤーハーネス１２が当該電気部品１８に接続され、電気部品１８がワイヤーハーネス１２を介して他の電気部品に接続される。つまり、本ワイヤーハーネス１２は、車両における各種電気部品同士を接続する配線部材として用いられる。
【００２９】
上記ワイヤーハーネス１２は、例えば、束部分１３を鉛直姿勢又は斜め姿勢にすると共に、コネクタ１６を束部分１３の下側に配設した状態で、車両に組付けられることがある。このような場合、ワイヤーハーネス１２の延在方向途中部分が被水すると、水がワイヤーハーネス１２の束部分１３を伝わり、コネクタ１６、１９、電気部品１８に達してしまう可能性がある。そこで、止水部材２０がワイヤーハーネス１２の束部分１３に取付けられ、束部分１３を伝わる水が止水部材２０によって止水されるようにする。
【００３０】
図３は止水部材２０を示す概略斜視図であり、図４及び図５は、止水部材２０を束部分１３に取付けた状態を示す概略断面図である。図４は束部分１３の延在方向に対して直交する概略断面を示し、図５は束部分１３の延在方向に沿った方向における概略断面を示している。
【００３１】
止水部材２０は、ワイヤーハーネス１２に取付けられるものであり、ベース部材３０と、水伝達部材４０とを備える。
【００３２】
ベース部材３０は、ワイヤーハーネス１２の外周囲の一部に取付可能な長尺形状に形成されている。ここでは、ベース部材３０は、樹脂等によって形成された部材であり、細長板状に形成されている。ベース部材３０の一方主面に水伝達部材４０が突設されている。
【００３３】
ベース部材３０の一端部は、ワイヤーハーネス１２に取付けられる取付部３１とされている。そして、ベース部材３０をワイヤーハーネス１２の延在方向に沿って配設した状態で、取付部３１とワイヤーハーネス１２とに結束部材５０が巻回されることで、ベース部材３０がワイヤーハーネス１２に取付けられる。結束部材５０としては、粘着テープ、結束バンド等を用いることができる。取付部３１の端部の上端部には、止水部材２０とワイヤーハーネス１２とをズレ及び回転を防止するための突部が形成されていてもよい。
【００３４】
ベース部材３０の下端部は、ベース部材３０の他方主面側に反り返るように湾曲して形成された湾曲部３４とされている。そして、ベース部材３０をワイヤーハーネス１２の延在方向に沿って配設した状態で、湾曲部３４がワイヤーハーネス１２から離れる方向を向くようになっている。これにより、ベース部材３０の他端部がワイヤーハーネス１２から離れて位置しており、ベース部材３０を伝って下方に落下する水がワイヤーハーネス１２から離れた位置で下方に落下するようになっている。
【００３５】
この止水部材２０では、ベース部材３０は１つだけ用いられており、ワイヤーハーネス１２の外周の一部、好ましくは、ワイヤーハーネス１２の束部分１３の端部が曲る方向とは逆側の一部にのみ設けられる。
【００３６】
水伝達部材４０は、ベース部材３０に突設された長尺部材である。ここでは、複数の水伝達部材４０がベース部材３０の延在方向中間部の一方主面に突設されている。水伝達部材４０は、ベース部材３０に対して植込むこと、又は、一体形成すること等で形成されている。
【００３７】
水伝達部材４０は、ここでは、ゴム、シリコン樹脂等で形成された細長い線状部材に形成されている。水伝達部材４０は、束部分１３を構成する電線１４間を、電線１４の外径に沿って変形しつつ通過可能な柔軟性を有している。
【００３８】
また、水伝達部材４０の長さ寸法は、ワイヤーハーネス１２の直径寸法よりも大きく設定されており、ベース部材３０がワイヤーハーネス１２の外周囲の一部に取付けられた状態で、水伝達部材４０が束部分１３を構成する電線１４の間を通ってワイヤーハーネス１２を貫通可能に構成されている（図３及び図４参照）。
【００３９】
また、各水伝達部材４０は、ベース部材３０の延在方向に対して斜め姿勢で突出している。より具体的には、水伝達部材４０は、ベース部材３０の一方主面から湾曲部３４とは反対側に向う斜め姿勢で突出している。このため、ベース部材３０を、湾曲部３４を下向きにした鉛直姿勢に配設すると、水伝達部材４０は、斜め上方に向うようになっている。
【００４０】
水伝達部材４０は、ベース部材３０に対して複数設けられている。より具体的には、ベース部材３０の幅寸法は、ワイヤーハーネス１２の直径寸法よりも大きく設定されており、複数の水伝達部材４０は、ベース部材３０に対してワイヤーハーネス１２の直径寸法よりも大きく広がる領域に突設されている。このため、ベース部材３０をワイヤーハーネス１２の外周囲の一部に配設すると、複数の水伝達部材４０は、束部分１３を構成する複数の電線１４の間に入り込むと共に、束部分１３の両側部にも配設される。そして、複数の水伝達部材４０の先端部が、束部分１３をベース部材３０の反対側に越えて配設される。また、水伝達部材４０は、ベース部材３０の延在方向においても複数並ぶように突設され、ベース部材３０をワイヤーハーネス１２の延在方向に沿って配設した状態で、複数の水伝達部材４０がワイヤーハーネス１２の延在方向に沿って複数の位置で、束部分１３を構成する複数の電線１４の間に入り込む。
【００４１】
上記止水部材２０をワイヤーハーネス１２に取付けるにあたっては、ベース部材３０を作業者等が持ち、水伝達部材４０をコネクタ１６よりも手前側の束部分１３の外周囲の一部から当該束部分１３に向けて押込む。この際、ベース部材３０の延在方向が束部分１３の延在方向に一致する状態とし、ベース部材３０の幅方向中央部の複数の水伝達部材４０を、束部分１３を構成する複数の電線１４の間に入り込ませると共に、ベース部材３０の両側部側の水伝達部材４０を束部分１３の両側の電線１４に配設する。
【００４２】
そして、水伝達部材４０の先端部が束部分１３を貫通した状態で、ベース部材３０の一端側の取付部３１と束部分１３とに結束部材５０を巻回し、束部分１３に対してベース部材３０を取付ける。これにより、複数の水伝達部材４０の一部が複数の電線１４の間に入り込み、残部が束部分１３の外周の電線１４に接すると共に、ベース部材３０が束部分１３の外周囲の一部に当該束部分１３に沿って配設された状態となる。
【００４３】
かかる止水部材付ワイヤーハーネス１０は、例えば、束部分１３のうちコネクタ１６よりも手前の部分であって止水部材２０が取付けられた部分を鉛直姿勢又は斜め姿勢にすると共に、束部分１３のうち止水部材２０が取付けられた箇所よりも先端側の部分を曲げて水平姿勢にした状態で、端部の１９に接続される。この姿勢では、水伝達部材４０は、基端側を重力方向下側に向けた斜め姿勢となっており、ベース部材３０は、鉛直姿勢又は斜め姿勢となっている。ベース部材３０の湾曲部３４は、ベース部材３０の下方にあり、束部分１３から離れる方向に湾曲している。
【００４４】
このため、ワイヤーハーネス１２の延在方向中間部で被水した場合、電線１４を伝ってくる水Ｌは、電線１４に接する水伝達部材４０に達すると、当該水伝達部材４０を伝ってベース部材３０側に流れ込む（図４及び図５参照）。そして、水Ｌがベース部材３０に達すると、ベース部材３０の表面を伝って下方に流れ落ち、ベース部材３０の下端部から下方に落下する。特に、ベース部材３０の下端部は、湾曲部３４によって束部分１３から離れて位置しているため、水は束部分１３から離れた位置で下方に落下する。
【００４５】
以上のように構成された止水部材２０及び止水部材付ワイヤーハーネス１０によると、水伝達部材４０が束部分１３を構成する複数の電線１４間を通って束部分１３を貫通する状態で、ベース部材３０を束部分１３の外周囲の一部に取付ければ、束部分１３内で電線１４を伝わる水は、水伝達部材４０からベース部材３０を通って外部に流れ出る。このため、従来技術のように、両側枠部の間に電線群を挿通させる必要が無く、ベース部材３０を束部分１３の外周囲の一部に配設すればよく、束部分１３に対する止水部材２０の取付姿勢等の制約をなるべく少なくすることができる。
【００４６】
特に、止水部材２０をワイヤーハーネス１２に取付けるにあたっては、止水部材２０から流れ出る水が被水しても問題が無い箇所に落下するように配慮する必要がある。上記のような止水部材２０を用いれば、束部分１３の外周囲の一部のみにベース部材３０を設ければよいため、そのコンパクト化が可能であり、また、ベース部材３０の設置箇所に関する制約も少ないため、上記のような要請にも比較的容易に対応することができる。
【００４７】
また、上記止水部材２０は、ワイヤーハーネス１２に対して容易に取付けることができる。また、従来、ワイヤーハーネスを伝った水の伝わりを抑制するため、コネクタの手前でＵ字状の経路を形成すること等もなされていたが、上記止水部材２０を用いるとそのようなＵ字状の経路を形成しなくてもよくなるため、余分な電線長さを無くすることもできる。
【００４８】
また、水伝達部材４０がベース部材３０に対して傾斜姿勢で突出しているため、ベース部材３０をなるべく鉛直姿勢にしつつ、水伝達部材４０の基端部を下向けにするように水伝達部材４０を配設し易い。これにより、ワイヤーハーネス１２内で電線１４を伝わる水を、水伝達部材４０からベース部材３０を通って外部に流れ出易くすることができる。
【００４９】
また、複数の水伝達部材４０がベース部材３０に設けられているため、当該複数の水伝達部材４０によってより確実に止水することができる。ここでは、複数の水伝達部材４０は、束部分１３を構成する複数の電線１４の間に入り込むと共に、束部分１３の両側部にも配設されるため、複数の電線１４の各間及び束部分１３の両側を伝う水を、複数の水伝達部材４０によってより確実に外部に流し出すことができる。また、水伝達部材４０は、束部分１３の延在方向においても複数設けられるため、束部分１３の延在方向において複数箇所で、複数の水伝達部材４０がワイヤーハーネス１２の延在方向に沿って複数の位置でも、電線１４を伝う水を外部に流し出すことができる。もっとも、電線１４の本数が少ない場合等には、水伝達部材４０は１つのみであってもよい。
【００５０】
また、水伝達部材４０を、電線１４の外形に沿って変形させた状態で、当該電線１４に接触させることができ、電線１４を伝った水をより確実に外部に流し出すことができる。
【００５１】
上記実施形態を前提として、各種変形例について説明する。
【００５２】
まず、水伝達部材に関する変形例について説明する。
【００５３】
図６に示す第１変形例に係る水伝達部材１４０は、両側に凹形状部分１４２が形成された長尺シート状に形成されている。水伝達部材１４０は、周縁に向うに従って徐々に薄くなる形状に形成されていることが好ましい（図１０参照）。より具体的には、水伝達部材１４０の先端部１４１は、先端側に向けて徐々に幅狭になる形状に形成されている。これにより、水伝達部材１４０が、複数の電線１４の間に進入し易いようになっている。また、水伝達部材１４０の延在方向中間部の両側部に、凹形状部分１４２が形成されている。そして、水伝達部材１４０が複数の電線１４の間に進入した状態で、各電線１４の一部が凹形状部分１４２内に入り込む。これにより、水伝達部材１４０の凹形状部分１４２の縁部がより大きい面積で電線１４の外周囲に接するようになり、電線１４を伝った水がより確実に水伝達部材１４０側に伝わるようになる。また、各凹形状部分１４２のうち水伝達部材１４０の先端側部分１４２ａは弧状を描きつつ徐々に外側に広がる形状をなしており、各凹形状部分１４２のうち水伝達部材１４０の基端側部分１４２ｂは、直線を描きつつ徐々に外側に広がる形状をなしている。これにより、水伝達部材１４０は、複数の電線１４の間を進入し易い一方、複数の電線１４の間から抜出難いようになっている。
【００５４】
図７に示す第２変形例に係る水伝達部材２４０は、両側に凹形状部分２４２が形成された長尺シート状に形成されている。水伝達部材２４０は、周縁に向うに従って徐々に薄くなる形状に形成されていることが好ましい（図１０参照）。より具体的には、水伝達部材２４０の先端部２４１は、先端側に向けて徐々に幅狭になる形状に形成されている。これにより、水伝達部材２４０が、複数の電線１４の間に進入し易いようになっている。また、水伝達部材２４０の延在方向中間部の両側部に、凹形状部分２４２が形成されている。凹形状部分２４２は、半円弧よりも小さい弧を描く形状に形成されており、水伝達部材２４０が複数の電線１４の間に進入した状態で、各電線１４の一部が凹形状部分２４２内に入り込む。これにより、水伝達部材２４０の凹形状部分２４２の縁部がより大きい面積で電線１４の外周囲に接するようになり、電線１４を伝った水がより確実に水伝達部材２４０側に伝わるようになる。また、凹形状部分２４２が比較的浅いため、水伝達部材２４０は、複数の電線１４の間に進入し易い。
【００５５】
図８に示す第３変形例に係る水伝達部材３４０は、両側に凹形状部分３４２が形成された長尺シート状に形成されている。水伝達部材３４０は、周縁に向うに従って徐々に薄くなる形状に形成されていることが好ましい（図１０参照）。より具体的には、水伝達部材３４０の先端部３４１は、先端側に向けて徐々に幅狭になる形状に形成されている。これにより、水伝達部材３４０が、複数の電線１４の間に進入し易いようになっている。また、水伝達部材３４０の延在方向中間部の両側部に、凹形状部分３４２が形成されている。凹形状部分３４２は、半円弧又は半円弧よりも深いＵ字を描く形状に形成されており、水伝達部材３４０が複数の電線１４の間に進入した状態で、各電線１４の一部が凹形状部分３４２内に入り込む。これにより、水伝達部材３４０の凹形状部分３４２の縁部がより大きい面積で電線１４の外周囲に接するようになり、電線１４を伝った水がより確実に水伝達部材３４０側に伝わるようになる。また、凹形状部分３４２が比較的深いため、凹形状部分３４２の縁部がより大きい面積で電線１４の外周囲に接し、電線１４を伝った水がより確実に水伝達部材３４０側に伝わるようになる。
【００５６】
図９及び図１０に示す第４変形例に係る水伝達部材１４０Ｂでは、上記第１変形例に係る水伝達部材１４０を前提として、その延在方向に沿った突条部１４４Ｂが形成されている。より具体的には、水伝達部材１４０Ｂの幅方向中央部に、突条部１４４Ｂが形成されている。ここでは、突条部１４４Ｂは、水伝達部材１４０Ｂの両面に形成されているが、一方面のみに形成されていてもよい。
【００５７】
この水伝達部材１４０Ｂによると、電線１４から水伝達部材１４０Ｂに移った水は、突条部１４４Ｂを伝ってベース部材３０に伝わり易い。例えば、水伝達部材１４０Ｂの先端側で当該水伝達部材１４０Ｂに移った水は、水伝達部材１４０Ｂの延在方向中間部で他の電線１４と接していたとしても、当該電線１４に再度移ること無く、水伝達部材１４０Ｂの幅方向中央の突条部１４４Ｂを伝ってベース部材３０に伝わり易い。これにより、水をより確実にベース部材３０に伝わらせて、外部に流れ出させることができる。また、水伝達部材１４０Ｂは、突条部１４４Ｂによって直線状態を保つように補強されるため、水伝達部材１４０Ｂを容易に電線１４間に通すことができ、また、水伝達部材１４０Ｂを電線１４間に通した状態で、なるべく直線状態を保つことができる。
【００５８】
図１１に示す第５変形例に係る水伝達部材１４０Ｃでは、上記第１変形例に係る水伝達部材１４０を前提として、その延在方向に沿って凹溝１４６Ｃが形成されている。より具体的には、水伝達部材１４０Ｃの幅方向中央部に、凹溝１４６Ｃが形成されている。ここでは、凹溝１４６Ｃは、水伝達部材１４０Ｃの両面に形成されているが、一方面のみに形成されていてもよい。
【００５９】
この水伝達部材１４０Ｃによると、電線１４から水伝達部材１４０Ｃに移った水は、凹溝１４６Ｃを伝ってベース部材３０に伝わり易い。例えば、水伝達部材１４０Ｃの先端側で当該水伝達部材１４０Ｃに移った水は、水伝達部材１４０Ｃの延在方向中間部で他の電線１４と接していたとしても、当該電線１４に再度移ること無く、水伝達部材１４０Ｃの幅方向中央の凹溝１４６Ｃを伝ってベース部材３０に伝わり易い。これにより、水をより確実にベース部材３０に伝わらせて、外部に流れ出させることができる。また、水伝達部材１４０Ｃは、凹溝１４６Ｃの間隔を狭めるように曲り易い（矢符Ｐ１参照）。このため、水伝達部材１４０Ｃは、電線１４間に容易に入り込んでいくことができる。
【００６０】
図１２に示す第６変形例に係る水伝達部材１４０Ｄでは、上記第１変形例に係る水伝達部材１４０を前提として、その延在方向に沿って一方面側に上記突条部１４４Ｂと同様の突条部１４４Ｄが形成され、その延在方向に沿って他方主面側に上記凹溝１４６Ｃと同様の凹溝１４６Ｄが形成されている。
【００６１】
このため、電線１４から水伝達部材１４０Ｄに移った水は、上記と同様に、突条部１４４Ｄ、凹溝１４６Ｄを伝ってベース部材３０に伝わり易く、水をより確実にベース部材３０に伝わらせて、外部に流れ出させることができる。また、突条部１４４Ｄによって、水伝達部材１４０Ｄが直線状態を保つように補強することができるため、水伝達部材１４０Ｄを容易に電線１４間に通すことができ、また、水伝達部材１４０Ｄを電線１４間に通した状態で、なるべく直線状態を保つことができる。また、水伝達部材１４０Ｄは、凹溝１４６Ｄの間隔を狭めるように曲り易いため（矢符Ｐ２参照）、水伝達部材１４０Ｄは、電線１４間に容易に入り込んでいくことができる。
【００６２】
ベース部材に関する変形例について説明する。図１３は第７変形例に係るベース部材７３０を示す部分概略斜視図であり、図１４は同ベース部材７３０を示す部分概略背面図であり、図１５は図１４のＸＶ−ＸＶ線概略断面図であり、図１６は図１４のＸＶＩ−ＸＶＩ線部分概略断面図である。
【００６３】
このベース部材７３０は、樹脂等によって形成された部材であり、下端部７３２が徐々に幅狭となる板状に形成されている。ベース部材７３０の下端部７３２の幅方向中央部で下方に尖る角部分を先鋭部７３２ａと称することにする。ベース部材７３０の下端部７３２が上記形状に形成されているため、水がベース部材７３０を伝ってその下端部７３２に達すると、下端部７３２の下縁部を伝って先鋭部７３２ａに至り、当該先鋭部７３２ａから下方に垂れ落ちる。このため、ベース部材７３０から垂れ落ちる水の位置が比較的安定する。
【００６４】
ベース部材７３０の一方主面には、複数の水伝達部材４０が突設されている。ここでは、水伝達部材４０は、上記実施形態で説明したものと同様構成であるとして説明するが、上記第１から第６変形例で説明した水伝達部材１４０、２４０、３４０、１４０Ｂ、１４０Ｃ、１４０Ｄであってもよい。複数の水伝達部材４０は、ベース部材７３０の一方主面において、縦横に並ぶように突設されている。
【００６５】
ベース部材７３０には、水伝達部材４０が突設された一方主面側からその反対側の他方主面に貫通孔７３６が形成されている。貫通孔７３６は、ベース部材７３０の一方主面から他方主面に向うに従って下向き傾斜するように貫通していることが好ましい。水伝達部材４０は、ベース部材７３０の一方主面において貫通孔７３６が開口する周縁部の下部に植込むこと、又は、一体形成すること等で形成されている。そして、水伝達部材４０を伝わりベース部材７３０の一方主面に至った水は、貫通孔７３６内を通ってベース部材７３０の他方主面側に流れ込むようになっている。この際、貫通孔７３６が上記傾斜形状に形成されているため、水は、ベース部材７３０の一方主面から他方主面に流れ込み易い一方、その反対側には流れ込み難いようになっている。
【００６６】
また、ベース部材７３０には、その延在方向一方側である下方に向けて水をガイドする水ガイド突部７３４が形成されている。ここでは、水ガイド突部７３４は、第１水ガイド突部７３４ａと、第２水ガイド突部７３４ｂと、第３ガイド突部７３４ｃとを備える。
【００６７】
第１水ガイド突部７３４ａは、各貫通孔７３６の開口下部から斜め下方に向うように形成された部分を含む。より具体的には、第１水ガイド突部７３４ａは、各貫通孔７３６の開口下部から下方に向い、途中で分岐してベース部材７３０の幅方向において各貫通孔７３６の間の位置又は各貫通孔７３６から外方に外れた位置に達する形状、すなわち、逆Ｙ事情に形成されている。これにより、貫通孔７３６を通ってベース部材７３０の他方主面に至った水は、第１水ガイド突部７３４ａを伝って貫通孔７３６が形成された位置から側方に向う。このため、ある貫通孔７３６を通ってベース部材７３０の他方主面に至った水が、その直下の貫通孔７３６に流れ込むことが抑制され、ベース部材７３０の一方主面側への水の逆流が抑制される。
【００６８】
第２水ガイド突部７３４ｂは、ベース部材７３０の幅方向において、各貫通孔７３６の間、及び、両側の貫通孔７３６の外方を通るように、ベース部材７３０の延在方向に沿うように形成されている。上記第１水ガイド突部７３４ａの下側端部は、第２水ガイド突部７３４ｂに達している。好ましくは、第２水ガイド突部７３４ｂの突出寸法（高さ寸法）は、第１水ガイド突部７３４ａの突出寸法（高さ寸法）よりも大きく設定されている。そして、第１水ガイド突部７３４ａを伝った水が、第２水ガイド突部７３４ｂに達すると、当該第２水ガイド突部７３４ｂに沿って、ベース部材７３０の延在方向に沿って下方に流れ落ちる。この際、水は、第２水ガイド突部７３４ｂに沿って案内されつつ下方に流れ落ちるので、ベース部材７３０の他方主面を至った水が、他の貫通孔７３６を通ってベース部材７３０の一方主面側へ逆流し難い。
【００６９】
第３ガイド突部７３４ｃは、ベース部材７３０の下端部７３２において、その下側縁部に沿って形成されている。各第２水ガイド突部７３４ｂの下端部は、第３ガイド突部７３４ｃに達している。好ましくは、第３ガイド突部７３４ｃの突出寸法（高さ寸法）は、第１水ガイド突部７３４ａの突出寸法（高さ寸法）よりも大きく設定されている。そして、第２水ガイド突部７３４ｂを伝った水が、第３ガイド突部７３４ｃに達すると、当該第３ガイド突部７３４ｃに沿って、ベース部材７３０の幅方向中央部の先鋭部７３２ａに向い、当該先鋭部７３２ａから下方に滴り落ちる。
【００７０】
この第７変形例に係るベース部材７３０によると、ベース部材７３０に伝わった水がベース部材７３０のうち水伝達部材４０が突設された側とは反対側の他方主面側に流れ出るため、電線１４側に逆流し難く、束部分１３から遠い側で水を排出することができる。このため、束部分１３の端部のコネクタ１６側への水の進入をより確実に抑制できる。
【００７１】
また、ベース部材７３０に、水ガイド突部７３４が形成されているため、ベース部材７３０を伝わる水の流れをコントロールすることができる。上記例では、第１水ガイド突部７３４ａによって、貫通孔７３６を通った水をその両側に案内することで、当該水が直下の貫通孔７３６を通って逆流することを抑制できる。また、第２水ガイド突部７３４ｂによって、ベース部材７３０を伝う水が真下に流れるように案内し、他の貫通孔７３６に逆流すること等を抑制できる。また、第３ガイド突部７３４ｃによって、ベース部材７３０を伝わる水が、ベース部材７３０の幅方向１箇所からしたたり落ちるように案内することができる。
【００７２】
なお、本変形例において、ベース部材７３０に貫通孔７３６が形成され、水ガイド突部７３４が省略されていてもよい。
【００７３】
また、本変形例において、貫通孔７３６が省略され、ベース部材のうち水伝達部材が形成された側の面に水ガイド突部が形成されていてもよい。この場合でも、上記と同様のレイアウトで水伝達部材を形成することで、水伝達部材の突設位置を避けて水が伝うように案内することができ、他の水伝達部材を介した水の逆流を抑制することができる。
【００７４】
また、水ガイド突部は、細長い凸形状である必要は無く、溝形状に形成されていてもよい。
【００７５】
なお、上記実施形態及び各変形例で説明した各構成は、相互に矛盾しない限り適宜組合わせることができる。
【００７６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７７】
１０    止水部材付ワイヤーハーネス
１２    ワイヤーハーネス
１３    束部分
１４    電線
２０    止水部材
３０、７３０    ベース部材
３１    取付部
４０、１４０、１４０、１４０Ｃ、２４０、３４０    水伝達部材
５０    結束部材
１４２、２４２、３４２    凹形状部分
１４４Ｂ、１４４Ｄ    突条部
１４６Ｃ、１４６Ｄ    凹溝
７３４    水ガイド突部
７３４ａ    第１水ガイド突部
７３４ｂ    第２水ガイド突部
７３４ｃ    第３ガイド突部
７３６    貫通孔
【図１】
2017216849.tif 000003
【図２】
2017216849.tif 000004
【図３】
2017216849.tif 000005
【図４】
2017216849.tif 000006
【図５】
2017216849.tif 000007
【図６】
2017216849.tif 000008
【図７】
2017216849.tif 000009
【図８】
2017216849.tif 000010
【図９】
2017216849.tif 000011
【図１０】
2017216849.tif 000012
【図１１】
2017216849.tif 000013
【図１２】
2017216849.tif 000014
【図１３】
2017216849.tif 000015
【図１４】
2017216849.tif 000016
【図１５】
2017216849.tif 000017
【図１６】
2017216849.tif 000018